(57)【特許請求の範囲】
【請求項１】
原料を所定の割合で調合して複数種類の飲料を提供する自動販売機において、
飲料を選択する商品選択ボタンと、
飲料名を設定入力する飲料名入力手段と、
商品選択ボタンと飲料名との対応を記憶する飲料名記憶手段と、
飲料名に対応した原料の調合割合を格納する原料格納手段と、
原料格納手段に格納された調合割合に従って飲料を調合販売する販売手段と
を備え、
設定時に、飲料名入力手段から飲料名が入力され、商品選択ボタンが押されたとき、押された飲料選択ボタンと飲料名との対応を飲料名記憶手段に記憶させるとともに、販売時に、商品選択ボタンが押されたとき、その商品選択ボタンに対応する飲料名を飲料名記憶手段から読み取り、読み取った飲料名に対応する飲料の調合割合を原料格納手段から読み取って調合販売することを特徴とする自動販売機。
【請求項２】
請求項１記載の自動販売機において、飲料名入力手段は、テンキーであることを特徴とする自動販売機。
【請求項３】
請求項１記載の自動販売機において、飲料名入力手段は、飲料名を記したバーコードと、バーコードを読み込むバーコードリーダとで構成されることを特徴とする自動販売機。
【請求項４】
請求項１記載の自動販売機において、飲料名入力手段は、飲料名を識別する突起付きの飲料カードと、突起形状を識別して読み込む飲料名判別スイッチとで構成されることを特徴とする自動販売機。
【請求項５】
請求項２記載の自動販売機において、テンキーは飲料名表示器と指示キーとを備え、設定時に、指示キーが押されるたびに所定順に、原料格納手段に格納された飲料名を飲料名表示器に表示し、商品選択ボタンが押されたとき表示されている飲料名を、押された商品選択ボタンに対応させることを特徴とする自動販売機。
【発明の詳細な説明】
【０００１】
【発明の属する技術分野】
この発明は、原料を所定の割合で調合して飲料を提供する自動販売機（以下、自販機）に関する。
【０００２】
【従来の技術】
例えばブレンドコーヒーを販売するカップ自販機のように、複数の原料を所定の割合で調合し飲料を供給する自販機では、次のようにして原料の調合割合データを設定している。
すなわち、自販機内のデータ記憶部に、飲料名や飲料銘柄（以下、飲料名）と各原料の調合割合とを示す原料調合表、および、飲料名と商品選択ボタンとの割付けを示すボタン割付表を設定しておく。自販機利用者が商品選択ボタンを押すと、そのボタンに対応する飲料名がボタン割付表から読み出され、その飲料名に対応する原料調合割合が原料調合表から読み出され、このデータに従って飲料が調合され販売される。
【０００３】
従来、この原料調合表のデータは、オペレータが紙に書いたデータなどを見ながら飲料名ごとにキーボードから入力していた。例えば、飲料がインスタントコーヒーなら、コーヒー２ｇ，砂糖６ｇ，クリーム８ｇ，湯１４０ｇなどの調合データを手入力していた。
【０００４】
【発明が解決しようとする課題】
従来の原料調合の方法には次の問題がある。
上述したように各飲料名ごとに原料調合割合を入力する必要があるので、定番や通常の飲料に対してもすべてオペレータが個別に入力設定しなければならない。このため、データ設定作業が面倒で時間がかかった。
【０００５】
また、作業が面倒なため、オペレータは、原料提供メーカが推奨する調合割合どおりでなく、自販機運用者が経験などから決めた調合割合に設定してしまうことがあった。このため、同一銘柄の飲料の味が自販機によって異なり、原料提供メーカの推奨する味で販売できていないこともあった。
この発明の課題は、各飲料の原料調合データを設定入力しなくても、容易に確実に所定の味を保てる調合割合が設定できるようにすることである。
【０００６】
【課題を解決するための手段】
発明１による自販機は、原料を所定の割合で調合して複数種類の飲料を提供する自動販売機において、飲料を選択する商品選択ボタンと、飲料名を設定入力する飲料名入力手段と、商品選択ボタンと飲料名との対応を記憶する飲料名記憶手段と、飲料名に対応した原料の調合割合を格納する原料記憶手段と、原料格納手段に格納された調合割合に従って飲料を調合販売する販売手段とを備え、設定時に、飲料名入力手段から飲料名が入力され、商品選択ボタンが押されたとき、押された飲料選択ボタンと飲料名との対応を飲料名記憶手段に記憶させるとともに、販売時に、商品選択ボタンが押されたとき、その商品選択ボタンに対応する飲料名を飲料名記憶手段から読み取り、読み取った飲料名に対応する飲料の調合割合を原料格納手段から読み取って調合販売する。
【０００７】
これにより、各飲料名と原料の調合割合はあらかじめ原料記憶手段に格納しておき、設定時には飲料名と商品選択ボタンとの関連付けを記憶させ、販売時に押された商品選択ボタンから、飲料名を介して、原料の調合割合が読み取られるので、各飲料に対して原料調合データを個別に入力しなくても、容易に確実に所定の調合割合が設定される。
【０００８】
発明２による自販機は、発明１の自販機において、飲料名入力手段をテンキーとする。これにより、現有の機器を流用して容易に原料が設定される。
発明３による自販機は、発明１の自販機において、飲料名入力手段を、飲料名を記したバーコードと、バーコードを読み込むバーコードリーダとで構成する。これにより、入力操作がより容易になり、確実に原料が設定される。
【０００９】
発明４によ自販機は、発明１の自販機において、飲料名入力手段を、飲料名を識別する突起付きの飲料カードと、突起形状を識別して読み込む飲料名判別スイッチとで構成する。これにより、フレーバカードなどを利用して、容易に原料が設定される。
発明５による自販機は、発明２の自販機において、テンキーは飲料名表示器と指示キーとを備え、設定時に、指示キーが押されるたびに所定順に、原料格納手段に格納された飲料名を飲料名表示器に表示し、商品選択ボタンが押されたとき表示されている飲料名を、押された商品選択ボタンに対応させる。これにより、キーボードから飲料名を入力しないで、確実に原料が設定される。
【００１０】
【発明の実施の形態】
（１）発明１，２，５について
図１は、発明１，２，５の一実施の形態を示す構成図である。
１は自販機全体を制御するＣＰＵで、次の各機器が接続される。すなわち、自販機利用者が飲料を選ぶための商品選択ボタン２ａ，２ｂ，２ｃ、金銭投入と払出し機能を持つ貨幣処理装置３、飲料名に対応して原料メーカ推奨などの原料調合割合データを格納するＲＯＭ４、商品選択ボタンと飲料名との対応や、種々のデータを記憶するＲＡＭ５、飲料名などのデータを設定入力するための、表示器７を備えたテンキー６、および原料を調合し販売する販売機構８である。なお、販売機構８は、コーヒー、砂糖、クリームなどの原料を蓄える原料箱９、湯を蓄える湯タンク１０、飲料を攪拌する飲料攪拌装置１１、および飲料用の飲料容器１２を備えている。
【００１１】
データ設定時にオペレータは、テンキー６を原料設定モードに切り替え、例えば「前」「次」キーにより表示器７に商品選択ボタンの番号、例えば２ａを表示させる。次に、この番号の商品選択ボタン２ａに割り付けたい飲料名、例えば「インスタントコーヒー」をテンキー６から設定入力する。ここで、商品選択ボタン２ａを押すと、ＣＰＵ１は、押されたボタンの番号と飲料名（ここでは、２ａと「インスタントコーヒー」）との対応をＲＡＭ５に記憶する。このようにして、順次、商品選択ボタンに飲料名を割り付ける。
【００１２】
販売時には、利用者が商品選択ボタン（例えばボタン２ａ）を選択すると、ＣＰＵ１は、このボタン番号に対応する飲料名をＲＡＭ５から読み取り、その飲料名に対応する原料調合割合をＲＯＭ４から読み出し、販売機構８がこのデータに従って飲料の調合販売を行なう。
以上の動作により、オペレータが各飲料の原料調合データを個別に入力しておかなくても、商品選択ボタンと飲料名との対応を割り付けておくだけで、飲料販売時には選択された飲料名に対する調合割合がＲＯＭ４から読み出され、飲料が調合販売される。したがって、面倒な設定作業なしに、しかも、原料メーカ推奨の調合割合で飲料を供給できる。
【００１３】
なお、設定時に、商品選択ボタンと飲料名との対応を割り付けるだけでなく、商品選択ボタンの番号に対応する飲料名の調合データをＲＯＭ４から読み出しＲＡＭ５に記憶し、このデータに従って調合販売することもできる。このようにすれば、例えばＲＯＭ５の調合割合を一部変更して調合することができる。
また、テンキー６を原料設定モードに切り替えた後、「前」または「次」キーを押すたびに、ＲＯＭ４に格納された飲料名が順次表示器７に表示されるようにもできる。こうすれば、飲料名を商品選択ボタンに割りつけるのにオペレータがそのつど飲料名をキーボードから入力しなくても済み入力ミスも起こらない。
（２）発明３について
図２は、発明３の一実施の形態を示す構成図である。
【００１４】
上述の発明１，２，５では、テンキー６で商品名と商品選択ボタンとの割り付けを行なっているが、この発明３では、飲料名の印刷されたバーコードで行なうようにしている。
このため、商品選択ボタン２ａ，２ｂ、２ｃの近辺にバーコードを読み取るためのバーコードリーダ１３を設置している。さらに、飲料名例えば飲料Ａ，飲料Ｂ，飲料Ｃが記入されたバーコード付カード１４ａ，１４ｂ，１４ｃを飲料名ごとに準備する。
【００１５】
オペレータが、例えば、飲料Ａを商品選択ボタン２ａに対応させたいときは、飲料Ａ用のバーコード付カード１４ａをバーコードリーダ１３に挿入する。この操作によりバーコードリーダ１３は、バーコード付カード１４ａに記入されている飲料名Ａを読み取り、ＣＰＵ１へ伝送する。ここで、オペレータが商品選択ボタン２ａを押すと、ＣＰＵ１は、押されたボタンの番号と飲料名との対応をＲＡＭ５に記憶する。この操作を順次、各商品選択ボタンごとに繰り返す。
【００１６】
以上の動作により、面倒な設定作業なしに、原料メーカ推奨の調合割合で飲料を供給できる。
なお、バーコードリーダ１３は商品選択ボタンごとに設置しないで１台とすることもできる。また、バーコードリーダ１３は可搬式のバーコードリーダを使うこともできる。
（３）発明４について
図３は、発明４の一実施の形態を示す構成図である。
【００１７】
この発明では、商品名と商品選択ボタンとの割り付けを、突起の形状により飲料名を識別できる突起付飲料カード１５ａ，１５ｂ，１５ｃで行なう。
このため、商品選択ボタンの近辺に、突起付飲料カードから飲料名を読み取るための飲料名判別用スイッチ１６ａ，１６ｂ，１６ｃを設置している。
オペレータが、例えば、飲料Ａを商品選択ボタン２ａに対応させたいときは、突起付飲料カード１５ａを飲料名判別用スイッチ１６ａに挿入する。この操作により飲料名判別用スイッチ１６ａは、突起付飲料カード１５ａの飲料名Ａを判別し、ＣＰＵ１へ伝送する。ここで、オペレータが商品選択ボタン２ａを押すと、ＣＰＵ１は、押されたボタンの番号と飲料名との対応をＲＡＭ５に記憶する。この操作を順次、各商品選択ボタンごとに繰り返す。
【００１８】
以上の動作により、面倒な設定作業なしに、原料メーカ推奨の調合割合で飲料を供給できる。
なお、上記の突起付飲料カードは、商品見本を示すために各商品選択ボタンの近くに設置される、いわゆるフレーバカードの一辺に、例えばくしの歯状の切り込みをつけたり、カード表面に凹凸をつけたりして、飲料名を識別させることができる。
【００１９】
【発明の効果】
この発明によれば、各飲料名と原料の調合割合はあらかじめＲＯＭなどの原料格納手段に格納しておき、設定時には、商品選択ボタンと飲料名との関連付けを設定し、販売時には、その関連付けに従ってＲＯＭから原料を読み出す。したがって、各飲料の原料調合データを個別に入力しなくても、容易に確実に所定の調合割合を設定できる。その結果、定番や分かりきった飲料の調合割合をオペレータが設定しなくて済むので、データ設定作業の大幅な省力化ができる。また、どの自販機でも同一銘柄の飲料は同じ原料調合割合で販売されるので、飲料のブランドイメージが損なわれなくなる。
【００２０】
また、飲料名の入力手段として、テンキーを使えば現有機器が流用でき、バーコードやフレーバカードなどを使えば入力操作が容易になる。さらに、テンキーに、飲料名表示器と指示キーとを設け、指示キーが押されるたびに原料格納手段内の飲料名を表示させ、商品選択ボタンを押したときに表示されている飲料名に対応させるようにすれば、キーボードから飲料名を入力しないでも、確実に原料が設定できる。
【図面の簡単な説明】
【図１】発明１，２，５の一実施の形態を示す構成図
【図２】発明３の一実施の形態を示す構成図
【図３】発明４の一実施の形態を示す構成図
【符号の説明】
１…ＣＰＵ、２ａ，２ｂ，２ｃ…商品選択ボタン、３…貨幣処理装置、４…ＲＯＭ、５…ＲＡＭ、６…テンキー、７…表示器、８…販売機構、９…原料箱、１０…湯タンク、１１…飲料攪拌機、１２…飲料容器、１３…バーコードリーダ、１４ａ，１４ｂ，１４ｃ…バーコード付カード、１５ａ，１５ｂ，１５ｃ…突起付飲料カード、１６ａ，１６ｂ，１６ｃ…飲料名判別用スイッチ。
【図１】
0003721689.tif 000002
【図２】
0003721689.tif 000003
【図３】
0003721689.tif 000004